(57)【要約】【課題】光が通過する試料の厚さを正確に設定することができるピペッタ用アダプタを提供することにある。【解決手段】  本発明のアダプタは、本体、セル及び先端部を有し、セルは四角形断面を有する筒状体に形成され、交換可能である。アダプタの本体には、セルの両側の面を露出させる窓が設けられている。【選択図】図１
2007333437.tif 000002
【特許請求の範囲】
【請求項１】
ピペッタに係合する本体と、先端部と、上記本体と上記先端部の間に保持された１対の平行な面を有する筒状体である透明な交換可能なセルと、を有し、上記本体には上記セルの平行な面を露出させる窓が設けられているピペッタ用アダプタ。
【請求項２】
請求項１記載のピペッタ用アダプタにおいて、上記本体はピペッタを受け入れるためのピペッタ装着部と上記セルを収容するためのセル収容部とを有し、上記先端部は上記本体のセル収容部を受け入れるための凹部と該凹部に接続された孔を有し、上記本体のピペッタ装着部に受け入れられたピペッタの先端から上記セルを経由し、上記先端部の孔まで密閉された通路が形成されることを特徴とするピペッタ用アダプタ。
【請求項３】
請求項２記載のピペッタ用アダプタにおいて、上記先端部の凹部の内面には溝が形成され、上記本体のセル収容部の外面には突起が形成され、上記先端部の凹部に上記本体のセル収容部が受け入れられたとき、上記本体のセル収容部の外面の突起は上記先端部の凹部の内面の溝に係合することを特徴とするピペッタ用アダプタ。
【請求項４】
請求項２記載のピペッタ用アダプタにおいて、上記先端部の凹部を形成する部材に軸線方向に延びる切り欠きが形成されていることを特徴とするピペッタ用アダプタ。
【請求項５】
請求項１記載のピペッタ用アダプタにおいて、上記本体、上記先端部及び上記セルは分解可能であることを特徴とするピペッタ用アダプタ。
【請求項６】
請求項１記載のピペッタ用アダプタにおいて、上記ピペッタは市販の汎用のピペッタであることを特徴とするピペッタ用アダプタ。
【請求項７】
ピペッタと、四角形の筒状体である透明なセルと該セルの両側の面を露出させる窓を有し上記ピペッタの先端に装着されたアダプタと、板バネ機構を備えた係合部を有するロック機構と、を有し、上記アダプタが装着されたピペッタを上記ロック機構に挿入し、上記アダプタを上記ロック機構の係合部に係合させ、次に、上記ピペッタを上記ロック機構より抜き出すと、上記アダプタは上記ピペッタより外れ、上記ピペッタのみが抜き出されることを特徴とする分光光度計用試料装置。
【請求項８】
請求項７記載の分光光度計用試料装置において、上記ピペッタはロック解除機構を有し、上記アダプタが上記係合部に係合して保持されている上記ロック機構に上記ピペッタを挿入し、上記ロック解除機構によって上記アダプタと上記ロック機構の係合部の係合が解除されるように構成されている分光光度計用試料装置。
【請求項９】
本体と先端部と上記本体と上記先端部の間に配置された四角形の筒状体である透明なセルと、を有し、上記本体には上記セルの両側の面を露出させる窓が設けられているアダプタをピペッタの先端に装着することと、
上記ピペッタの先端に装着された上記アダプタの先端を試料に漬けることと、
上記ピペッタを操作し、上記試料を上記アダプタのセルに吸引することと、
係合部を有するロック機構を用意することと、
上記アダプタが装着されたピペッタを上記ロック機構に挿入することと、
上記アダプタが上記ロック機構の係合部に係合したとき上記ピペッタを上記ロック機構より引き抜くことと、
上記アダプタが保持された上記ロック機構を分光光度計に装填することと、
上記分光光度計からの光を上記アダプタの一方の窓に照射することと、
上記アダプタの他方の窓からの光を受光することと、
を含む分光光度計による試料の測定方法。
【請求項１０】
請求項９記載の分光光度計による試料の測定方法において、
ロック解除機構が装着されたピペッタを上記アダプタが保持された上記ロック機構に挿入することと、
上記ロック解除機構を用いて上記アダプタと上記ロック機構の係合部の係合を解除することと、
上記ピペッタの先端に上記アダプタを係合させ、上記ピペッタを上記ロック機構より引き抜くことと、
上記ピペッタを操作し上記アダプタのセルに収容された上記試料を排出することと、
を含む分光光度計による試料の測定方法。
【発明の詳細な説明】
【技術分野】
【０００１】
本発明はピペッタの先端に装着するためのアダプタに関し、特に、分光光度計に使用して好適なピペッタ用アダプタに関する。
【背景技術】
【０００２】
分光光度計を用いた分析では、試料セルに試料を充填し、それに光を照射し、透過光、蛍光等を測定する。近年、分光光度計用の試料としてタンパク質、ＤＮＡ等の生体物質が用いられる。これらの試料は、微量であり且つ測定後に回収する必要がある。また、これらの試料は粘性が高く試料セルに付着し易い。従って、試料セルの洗浄が困難である。
【０００３】
特開平7-301596号公報には、試料の採取手段を備えた試料セルの技術が開示されている。また、特開2005-147826号公報には、微量な物質の蛍光を測定する蛍光測定装置が開示されている。
【０００４】
【特許文献１】特開平7−301596号公報
【特許文献２】特開2005−147826号公報
【発明の開示】
【発明が解決しようとする課題】
【０００５】
特許文献１に記載された濃度計では、ノズル部の液流路の両側に石英又はガラス製の円板状測光窓を設け、保持部材によって円板状測光窓を保持する。２つの円板状測光窓の間の距離が、光が通過する試料厚さとなる。特許文献２に記載された装置では、ピペットアダプタに装着されたチップ内に試料が保持される。チップ内の試料の深さが、光が通過する試料厚さである。
【０００６】
このように、従来の技術では、光が通過する試料厚さを正確に設定することは困難である。
【０００７】
本発明の目的は、光が通過する試料の厚さを正確に設定することができるピペッタ用アダプタを提供することにある。
【課題を解決するための手段】
【０００８】
本発明のアダプタは、アダプタは、本体、セル及び先端部を有し、セルは四角形断面を有する筒状体に形成され、交換可能である。アダプタの本体には、セルの両側の面を露出させる窓が設けられている。
【発明の効果】
【０００９】
本発明のピペッタ用アダプタによると、光が通過する試料の厚さを正確に設定することができる。
【発明を実施するための最良の形態】
【００１０】
図１を参照して本発明によるアダプタの例を説明する。本発明のアダプタ２は、市販の汎用のピペッタ１の先端に装着可能である。ピペッタ１は先端部１１、本体１２、把持部１３及び押圧部１４を有し、先端部１１にチップを装着する。押圧部１４を押し込んで開放すると先端部１１からチップに試料が吸引される。次に、押圧部１４を押し込むと先端部１１からチップ内の試料が吐き出される。
【００１１】
本例では、チップの代わりに、アダプタ２をピペッタ１の先端部１１に装着する。図１ａは、アダプタ２がピペッタ１から分離された状態を示し、図１ｂは、アダプタ２がピペッタ１に装着された状態を示す。
【００１２】
図２及び図３を参照して本発明のアダプタの構成を説明する。図２は本例のアダプタ２の正面構成を示し、図３は本例のアダプタ２の側面構成を示す。図２ａ及び図３ａは本例のアダプタ２の外観を示し、図２ｂ及び図３ｂは本例のアダプタ２の断面構造を示し、図２ｃ及び図３ｃは本例のアダプタの分解構造を示す。
【００１３】
図２ｃ及び図３ｃに示すように、本例のアダプタ２は、本体２１、セル２２及び先端部２３を有する。本体２１は、ピペッタ１を受け入れるためのピペッタ装着部２１１とセル２２を収容するためのセル収容部２１２とを有する。ピペッタ装着部２１１はピペッタ１の先端部１１の外形に対応した円錐形状の穴２１１ａを有し、セル収容部２１２にはセル２２の外形に対応した四角形断面の穴２１２ａを有する。ピペッタ装着部２１１の穴２１１ａはセル収容部２１２の穴２１２ａに接続されている。
【００１４】
図２ａに示すように、本体２１のセル収容部２１２には窓２４が形成されている。窓２４は、セル収容部２１２の両側に設けられている。図２ｃに示すようにセル収容部２１２の外周には突起２１４が設けられている。
【００１５】
セル２２は断面が四角形の、好ましくは正方形の筒状体であり石英製である。尚、セル２２は、少なくとも１対の平行な透明な面を有すればよい。マイクロリッタ以下の微量試料を測定する場合には、セル２２の容積は微小である。先端部２３は、本体係合部２３１とそれに接続された円錐部２３２を有する。
【００１６】
図２ｃ及び図３ｃに示すように、先端部２３の本体係合部２３１には、本体２１のセル収容部２１２が係合するための凹部２３１ａが形成されている。先端部２３の円錐部２３２には細孔２３２ａが形成されている。細孔２３２ａは、凹部２３１ａの底面に接続されている。図２ｃに示すように、凹部２３１ａの内壁には溝２３４が形成されている。図３ａに示すように、先端部２３の本体収容部２３１には、軸線方向に延びる切り込み２３５が形成されている。こうして切り込み２３５を設けることにより、本体収容部２３１が半径方向外方に容易に延びることができる。本体２１及び先端部２３は、樹脂、ゴム、プラスチック材等によって製造されてよい。
【００１７】
本例のアダプタの組立方法を説明する。先ず、セル２２を本体２１のセル収容部２１２に挿入する。図２ｂに示すように、セル２２がセル収容部２１２に挿入されると、セル２２の端面はセル収容部２１２より僅かだけ突出してよい。
【００１８】
次に、本体２１のセル収容部２１２を先端部２３の本体係合部２３１に係合させる。本体２１のセル収容部２１２の外周の寸法は、先端部２３の本体収容部２３１の凹部２３１ａの内周の寸法より僅かに大きくてよい。この場合、先端部２３の本体収容部２３１が半径方向外方に延びる。本例では、先端部２３の本体収容部２３１に切り込み２３５が形成されているため、本体収容部２３１は容易に半径方向外方に容易に延びることができる。
【００１９】
図２ｂに示すように、本体２１のセル収容部２１２の突起２１４は、先端部２３の本体係合部２３１の凹部２３１ａの溝２３４に係合する。それによって、本体２１、セル２２及び先端部２３は一体的に組み立てられる。
【００２０】
セル２２の外形と本体２１のセル収容部２１２の凹部２１２ａは互いに対応した形状を有し、セル２２が本体２１のセル収容部２１２の凹部２１２ａに挿入されると両者はガタが無い状態で結合する。同様に、本体２１のセル収容部２１２の外形と本体係合部２３１の凹部２３１ａは互いに対応した形状を有し、本体２１のセル収容部２１２が先端部２３の本体係合部２３１の凹部２３１ａに係合すると、両者はガタが無い状態で結合する。本体２１、セル２２及び先端部２３は一体的に結合し、接合部に隙間が生じることはない。従って、図２ｂ及び図３ｂに示すように、本体２１のピペッタ装着部２１１の穴２１１ａ、セル２２、及び、先端部２３の細孔２３２ａは１本の密閉通路を形成する。
【００２１】
図４及び図５は本発明の分光光度計用試料装置を示す。分光光度計用試料装置は、アダプタ２が装着されたピペッタ１、ピペッタに装着されたロック解除機構４１、及び、固定台４２に装着されたロック機構４３を有する。
【００２２】
次に、図４を参照して本発明の分光光度計用試料装置を用いて試料を分析する方法を説明する。図４ａは、本発明のアダプタ２が装着されたピペッタ１を用いて、試料を採取する方法を示す。尚、本例では、ピペッタ１にロック解除機構４１が装着されている。ロック解除機構４１は、ピペッタ１に対して自由に移動することができる。アダプタ２の先端が、容器４の試料３に浸かるようにピペッタ１を配置する。押圧部１４を押し込んで開放するとアダプタ２に試料が吸引される。吸引された試料はセル２２に保持される。
【００２３】
次に、図４ｂに示すように、ロック機構４３が装着された固定台４２を用意する。ロック機構４３は、括れ部４３１と係合部４３２を有し、板バネとして機能する金属板によって構成されている。固定台４２にはアダプタ２の先端部２３が係合するための凹部４２１を有する。
【００２４】
アダプタ２が装着されたピペッタ１を下方に移動させる。アダプタ２がロック機構４３の括れ部４３１に進入すると、括れ部４３１は開く。ピペッタ１を更に下方に移動させると、アダプタ２の本体２１が係合部４３２に進入し、係合部４３２は開く。
【００２５】
図４ｃに示すように、アダプタ２の本体２１が係合部４３２を通過すると、板バネの作用により係合部４３２は元の位置に戻るように変形する。それによってアダプタ２の本体２１の端部が係合部４３２に係合する。このとき、アダプタ２の先端部２３は固定台４２の凹部４２１に係合している。尚、ロック解除機構４１は自由に移動することができるから、ロック機構４３の上端に係合した状態で、そこに保持される。
【００２６】
次に、図４ｄに示すように、ピペッタ１を上方に移動させる。ピペッタ１は上方に移動するが、アダプタ２の本体２１の端部が係合部４３２に係合しているため、アダプタ２は移動しない。従って、アダプタ２のみが固定台４２に保持される。
【００２７】
この状態で分光光度計によって試料の濃度等を測定する。分光光度計の構造は既知であり、ここでは説明しない。分光光度計は、少なくとも、光を照射する光源と光を受光する受光部を有する。光源からの光は、アダプタ２の本体２１の窓２４に照射される。光は、窓２４を経由してセル２２を透過し、反対側の窓２４から出射され、受光部によって受光される。受光部によって受光された光量によって試料の濃度が検出される。
【００２８】
本例によると、光は一方の窓から照射され反対側の窓から出射される。従って、光は、セルの一方の面から入り反対側の面から出る。セルは四角形断面の筒状体である。セルの互いに向かい合う２つの内面の間の距離をｄとすると、ｄは光が通過する試料の厚さを表わす。セルを高精度にて製造することにより、試料の厚さｄは、常に一定となる。本例によると、従来の技術のように、光が通過する試料の厚さｄの誤差に起因する測定精度の誤差は生じない。本例によると、セルに保持されている試料の量が多少変動しても、試料厚さは一定であり変化しない。
【００２９】
本例によると、セルは４つの面を有し、これらの４つの面のいずれも測定に使用することができる。４つの面のうち窓に接するように配置された２つの面が使用される。しかしながら、長時間の使用後に、セルを９０度回転させて再び本体に装着してよい。それによって、セルの他の２つの面を使用することができる。
【００３０】
セルは交換可能な部材である。セルの４つの面を十分使用したのち新たにセルに交換することができる。
【００３１】
図５を参照して、本発明の分光光度計用試料装置を用いて試料を分析した後に試料を回収する方法を説明する。分光光度計による試料の測定が終了すると、図５ａに示すように、ピペッタ１を下方に移動させる。図５ｂに示すように、ロック解除機構４１を手で押えて下方に移動させる。それによって、ロック機構４３の括れ部４３１が開く。ロック解除機構４１を更に下方に移動させると、ロック機構４３を構成する金属板が開き、係合部４３２が開く。それによって、ロック機構４３の係合部４３２はアダプタ２の本体２１から離れる。ピペッタ１を更に下方に移動させると、ピペッタ１の先端部１１がアダプタ２に係合する。
【００３２】
次に、図５ｃに示すように、ピペッタ１を上方に移動させる。アダプタ２はピペッタ１と共に上方に移動する。アダプタ２が装着されたピペッタ１が上方に移動すると、ロック解除機構４１は金属板の板バネの作用により、元の状態に戻る。
【００３３】
図５ｄに示すように、アダプタ２が装着されたピペッタ１を、容器４の上に移動させ、ピペッタ１の押圧部１４を押し込む。セル２２に収容されている試料は容器４に排出される。こうして本例では、試料の回収を容易に行うことができる。
【００３４】
図６は、本例のアダプタ２を、本体２１、セル２２及び先端部２３の３つの要素に分解し、それを洗浄液６内に保持した状態を示す。この状態で、例えば超音波洗浄器に装填してよい。本例では、アダプタ２を分解することができるから、洗浄が容易であり、且つ、部品の交換が容易である。例えば、セル２２を他のセルと交換して用いることができる。
【００３５】
以上本発明の例を説明したが本発明は上述の例に限定されるものではなく、特許請求の範囲に記載された発明の範囲にて様々な変更が可能であることは当業者に容易に理解されよう。
【図面の簡単な説明】
【００３６】
【図１】本発明によるアダプタを汎用のピペッタに装着する方法を示す図である。
【図２】本発明によるアダプタの正面構成を示す図である。
【図３】本発明によるアダプタの側面構成を示す図である。
【図４】本発明の分光光度計用試料装置を用いて試料を分析する方法を説明するための図である。
【図５】本発明の分光光度計用試料装置を用いて試料を回収する方法を説明するための図である。
【図６】本発明によるアダプタの洗浄方法を示す図である。
【符号の説明】
【００３７】
１…ピペッタ、２…アダプタ、３…試料、４…容器、６…洗浄液、１１…先端部、１２…本体、１３…把持部、１４…押圧部、２１…本体、２２…セル、２３…先端部、２４…窓、４１…ロック解除機構、４２…固定台、４３…ロック機構、２１１…ピペッタ装着部、２１１ａ…穴、２１２…セル収容部、２３１…本体係合部、２３１ａ…凹部、２３２…円錐部、２３２ａ…細孔、２３４…溝、２３５…切り込み、４２１…凹部、４３１…括れ部、４３２…係合部
【図１】
2007333437.tif 000003
【図２】
2007333437.tif 000004
【図３】
2007333437.tif 000005
【図４】
2007333437.tif 000006
【図５】
2007333437.tif 000007
【図６】
2007333437.tif 000008